(57)【要約】【課題】  ＨＯＭＥＮＥＴＷＯＲＫのような小規模な限定された構成において、不必要な電力消費を抑える。【解決手段】  携帯端末に操作部を持ち、操作したい機器だけをＷＡＫＥ−ＵＰさせる。限定された構成とし、各装置に対し限定した機能のための特殊パケットをあらかじめ登録しておくことで解析動作をなくし、必要な機器のみのスムーズなＷＡＫＥ−ＵＰを実現する。【選択図】  図１
2007028063.tif 000002
【特許請求の範囲】
【請求項１】
小規模LANシステムに接続された画像形成システムにおいて、該小規模LANに接続される機器にLANからの入力に対して装置を省電力モードから待機モードへの移行を可能とするモード移行可能LAN通信部を具備し、該モード移行可能LAN通信部で特定のコマンドパケットを認識でき、携帯端末にシステムの動作を指定するパケット送信手段を有し、前記携帯端末からの動作指定パケットを受信可能なコマンド受信手段を持つLAN上の機器が１台以上存在し、特定の機器だけをモード移行させ待機状態からの動作を行わせることが出来る画像形成システム。
【請求項２】
前記コマンド受信手段を持つ機器に、該コマンド受信手段にLAN上のすべての機器が省エネモードであるか否かを通知することができるモード通知手段を具備した請求項１に記載の画像形成システム。
【発明の詳細な説明】
【技術分野】
【０００１】
本発明は、プリンター、コピー、FAX、スキャナーといった多様な機器を小規模LANに接続したときの動作に関する。
【背景技術】
【０００２】
従来、LANにPCや単機能機器を接続したシステムにおいて、携帯端末を入力装置としてシステムにコマンドを送り、実現したい機能を行う場合、携帯端末からの入力に対してPCがパケットの解析を行い、PCから改めて各装置に対して実現すべき機能に見合ったコマンドを発行していた。
【０００３】
このため、PCが省エネモードに移行しているとまず、PCがモードを省エネモードから待機モードへ移行しコマンドを発行できる態勢になるまで、待たされていた。
【０００４】
また、携帯端末からのコマンドが、PCを必要としない単純なスキャン＋プリント＝コピー動作であった場合でも、PCが介在して動作を制御していたため、単純な動作には不要となるはずのPCの消費電力が浪費されていた。
【０００５】
又、別の従来例としては、特許文献１及び特許文献２をあげることが出来る。
【特許文献１】特開２０００−３４７９５６号公報
【特許文献２】特開２００２−１３２４０７号公報
【発明の開示】
【発明が解決しようとする課題】
【０００６】
＜課題１＞
携帯端末からのコマンド入力に対して、そのコマンドに必要な機器だけモード移行が完了したらコマンドを実行できるようにし、立ち上がりの遅いPCのモード移行終了を待たなくて済むようにする。
【０００７】
＜課題２＞
携帯端末からのコマンド入力に対して、そのコマンドに必要な機器だけモード移行して、コマンドを実行することで、余分な機器の消費電力を減らす。
【課題を解決するための手段】
【０００８】
携帯端末にコマンド発行手段を持ち、小規模LAN中に携帯端末からのコマンド受信可能なコマンド受信手段を持ち、該コマンド受信手段を持つ機器のLAN通信部がコマンドパケットを小規模LAN全体に対して、発行可能に構成され、該小規模LANに接続された機器のLAN通信部は、コマンドパケットを解釈でき、装置のモード移行を行わせることが出来ることを特徴とする。
【発明の効果】
【０００９】
以上説明したように、本発明の実施例１では、PCを省エネモードのままコマンド入力されたコピー動作を行うことができ、PCが立ち上がるまで待たされたりせず、動作に必要ではないPCの消費電力が無駄になったりせずに所望のコピー動作を完了できる。
【００１０】
又、本発明の実施例２によると、ユーザーが携帯端末から入力したコマンドをPCが省エネモードのまま行うことができる。
【００１１】
また、LAN上の機器で、携帯端末からのコマンドを解釈するのは、コマンド受信手段に直結されているLAN通信部だけとすることができ、他のSCANNERやPRINTERのLAN通信部は、簡単な形式のもので実現できる。
【発明を実施するための最良の形態】
【００１２】
次に、本発明の詳細を実施例の記述に従って説明する。
【実施例１】
【００１３】
図１に本発明の実施例のブロック図を示す。
【００１４】
1は、PCであり、通常はLANに接続された機器を統括的に制御し、省エネモードから待機モードへモード移行を行うことが出来るLAN通信部１１を持ち、携帯端末１００からのコマンド入力を受信することが出来るコマンド受信手段１２を持つ。省エネモード時コマンドを受け取るとLAN通信部１１を介して、LANにコマンドパケットを発行することができ、コマンドパケットによりPC１を待機モードへ移行するべきかどうか判定する機能も有する。
【００１５】
２は、HUBである。
【００１６】
３は、SCANNERであり、省エネモードから待機モードへモード移行を行うことが出来るLAN通信部１３を持ち、省エネモード時にコマンドパケットを受け取るとSCANNER３が待機モードに移行するべきかどうか判定する機能も有する。
【００１７】
４は、PRINTERであり、省エネモードから待機モードへモード移行を行うことが出来るLAN通信部１４を持ち、省エネモード時にコマンドパケットを受け取るとPRINTER４が待機モードに移行するべきかどうか判定する機能も有する。
【００１８】
100は、携帯端末であり、PC１が持つコマンド受信手段と通信することができるコマンド発行手段１０１を持つ。
【００１９】
本実施例では、コマンド受信手段１２をPC1の中に持つ形態としたが、これに限定するものではなく、LANの中のどの機器に持たせても良い。もちろん複数あっても良い。複数ある場合は、その中のひとつだけ有効となるようにあらかじめ調停しておく。
【００２０】
以下、省電力モードからSCANNER３とPRINTER4を動作させてコピー動作を行った場合のシステムの動作を説明する。
【００２１】
初めすべての機器が、省電力モードに居る。ユーザーはコピーを取りたいので、携帯端末にコピーの入力を行う。携帯端末１００は小規模LANシステムに対するコマンド入力であることを認識し、コマンド発行手段を使って、小規模LANにコマンドを発行する。
【００２２】
小規模LANでは、PC1にコマンド受信手段１２があり、コマンド受信手段１２はコマンドを受け取るとLAN通信部１１を経由してHUB２に対して、コマンドの内容を通知する。
【００２３】
ここで、コマンドはパケットとして流れることにする。本パケットは、コマンドの形態をなしており、ただ単にモード移行を促すだけではない。
【００２４】
従来のマジックパケットによる機器のモード移行は、マジックパケットをPCで、解析し内容を判定してから他の機器に対して改めて、必要なパケットを発行していた。
【００２５】
本発明では、コピー動作というコマンドの形態でパケットが流れる。
【００２６】
SCANNER3のLAN通信部１３は、コピーコマンドパケットを受け取ると自分がモード移行するべきかどうか判定し、するべきであると判断すればモードを省エネから待機に移行し、コマンドの解釈をSCANNER3のCPUで行い、必要な設定を行う。
【００２７】
PRINTER４でも、同様にLAN通信部１４で、コピーコマンドパケットを受け取ると自分がモード移行するべきかどうか判定し、するべきであると判断すればモードを省エネから待機に移行し、コマンドの解釈をPRINTER４のCPUで行い、必要な設定を行う。
【００２８】
PC１は、省エネモードでも動作可能なコマンド受信手段とLAN通信部だけが動作し、モードの移行までは行わない。
【００２９】
SCANNER3は、ユーザーが実際にコマンドで指定されたコピー動作として紙をセットし、スキャンスタートをかけると、PRINTER４用の画像データ送信を行う。
【００３０】
PRINTER４は、SCANNER3からの画像データを受け取ると、これを印刷する。
【００３１】
このとき、コピーコマンド動作で必要のないPC１は省エネモードのままである。
【実施例２】
【００３２】
本発明の実施例２のブロック図を図２に示す。
【００３３】
実施例１に対して、PCが２１となり、モード通知手段２０が追加されている。モード通知手段２０は、LAN上の機器すべてが省エネモードに移行済みか否かを保持し、コマンド受信手段１２に該モード状態を通知する。
【００３４】
コマンド受信手段１２は、モード通知手段２０からの省エネモードの状況を認識し、LAN上のすべての機器が、省エネモードに移行していた場合は携帯端末１００にすべて省エネモードであることを通知し、単純なコマンドではなく、どの機器を使用するコマンドかを明確にしたコマンドに置き換えるよう要求する。
【００３５】
携帯端末１００は、コマンド受信手段１２からの通知により、コマンドの実行に必要な機器のみをモード移行し、コマンドを実行させる機器選択コマンドを発行しなおす。コマンド受信手段１２は、機器選択コマンドを受信したら、LAN通信部１２を介して、選択された機器にコマンドを発行する。
【００３６】
今は、SCANNER３とPRINTER４が選択されコピー動作コマンドが発行されている。
【００３７】
SCANNER３のLAN通信部１３は、機器選択コマンドを受け取るとSCANNER３の省エネモードを待機モードに移行させ、コマンドがコピー動作を指定していることをSCANNER３のCPUに通知する。
【００３８】
PRINTER４のLAN通信部１４も、機器選択コマンドを受け取るとPRINTER４の省エネモードを待機モードに移行させ、コマンドがコピー動作を指定していることをPRINTER４のCPUに通知する。
【００３９】
SCANNER３は、ユーザーがスタートボタンを押下するとスキャン動作を開始し、PRINTER４へ画像データを送信する。
【００４０】
PRINTER４は、画像データを受け取ると印刷動作を開始する。
【００４１】
このとき、コピーコマンド動作で必要のないPC２１は省エネモードのままである。
【図面の簡単な説明】
【００４２】
【図１】本発明の実施例１のブロック図
【図２】本発明の実施例２のブロック図
【符号の説明】
【００４３】
1  PC
2  HUB
3  SCANNER
4  PRINTER
11  LAN通信部
12  変換済みプロトコル記憶手段
13  LAN通信部
14  LAN通信部
20  コマンド受信手段
21  PC
100  携帯端末
101  コマンド発行手段
【図１】
2007028063.tif 000003
【図２】
2007028063.tif 000004